(57)【要約】【課題】トラップケースの内面とトラップ筒との間に汚物等が挟まった場合に、トラップケースを分解しなくても、汚物等が挟まった状態を解消できる便器装置およびトラップ装置を提供する。【解決手段】本発明の便器装置は、トラップ装置３を備える。トラップ装置３は、トラップ筒３１と、内部にトラップ筒３１の下流側開口３３を収容するトラップケース５とを備える。トラップ筒３１の下流側開口３３は、上下方向に駆動することで封水姿勢と排水姿勢とのいずれかに切り替えられる。そして、トラップケース５には、当該トラップケース５の内面とトラップ筒３１の下流側開口３３との間の距離を変更できる可動部５６が設けられる。【選択図】図５
2016098546.tif 000002
【特許請求の範囲】
【請求項１】
ボウルを有する便器本体と、
この便器本体の内部に設けられ前記ボウルの排出口と建物側の排水口との間に設けられたトラップ装置と
を具備し、
前記トラップ装置は、
上流側開口が前記ボウルの前記排出口に接続され、下流側開口が上下方向に移動することで封水姿勢と排水姿勢とのいずれかに切り替えられるトラップ筒と、
その内部に前記トラップ筒の下流側開口を収容するトラップケースと
を備え、
前記トラップケースには、当該トラップケースの内面と前記トラップ筒の下流側開口との間の距離を変更できる可動部が設けられている
ことを特徴とする便器装置。
【請求項２】
前記トラップ筒は、前後方向に回転することで、前記封水姿勢と前記排水姿勢とに切り替えられるものであり、
前記可動部は、
前記トラップケースの上壁に設けられた上可動壁と、
前記トラップケースの後壁に設けられた後可動壁と
を備えている
ことを特徴とする請求項１記載の便器装置。
【請求項３】
前記トラップケースは、前記可動部を支持するケース本体を有しており、
前記可動部は、前記ケース本体に対して内外方向に移動自在に形成されたものである
ことを特徴とする請求項１または請求項２記載の便器装置。
【請求項４】
前記可動部は、前記トラップケースの一部が弾性変形可能となった変形可能部によって構成されている
ことを特徴とする請求項１または請求項２記載の便器装置。
【請求項５】
前記変形可能部が、
前記トラップケースの内面の一部を構成する壁部と、
この壁部の周囲に設けられて弾性変形可能な弾性部と
により構成されている
ことを特徴とする請求項４記載の便器装置。
【請求項６】
ボウルを有する便器本体の内部に設けられて前記ボウルの排出口と建物側の排水口との間に設けられるトラップ装置であって、
上流側開口が前記ボウルの前記排出口に接続され、下流側開口が上下方向に移動することで封水姿勢と排水姿勢とに切り替えられるトラップ筒と、
その内部に前記トラップ筒の下流側開口を収容するトラップケースと
を備え、
前記トラップケースには、当該トラップケースの内面と前記トラップ筒の下流側開口との間の距離を変更できる可動部が設けられている
ことを特徴とするトラップ装置。
【発明の詳細な説明】
【技術分野】
【０００１】
本発明は、便器装置、およびトラップ装置に関する。
【背景技術】
【０００２】
特許文献１には、従来の便器装置が開示されている。この特許文献１記載の便器装置は、ボウル部に接続されたトラップホースと、トラップホースを収容するケース体とを備えている。
【０００３】
このトラップホースにおいてボウル部とは反対側の端部（以下、終端という）は、モータによって回転可能なアームで保持されている。モータが駆動すると、トラップホースの終端は、上方に向く姿勢と、側方に向く姿勢とのいずれかに切り替えられる。トラップホースの終端が上方に向く姿勢では、ボウル部に封水が形成される（以下、この姿勢を封水姿勢という）。また、トラップホースの終端が側方に向く姿勢では、トラップホースの内部と外部排水管の内部とが通じるように構成されており、これによって、ボウル部に形成された封水が外部排水管に排水される（以下、この姿勢を排水姿勢という）。
【先行技術文献】
【特許文献】
【０００４】
【特許文献１】特開２００５−２１３７６４号公報
【発明の概要】
【発明が解決しようとする課題】
【０００５】
ところで、このトラップホースは、ケース体の内部で、その終端が封水姿勢と排水姿勢とを繰り返すように構成されている。通常、トラップホースの終端が封水姿勢にある場合には、汚物等は、ボウル部の最も低い箇所に沈下することが多いが、ごく稀に浮遊して終端近傍に位置する場合がある。このとき、モータが駆動して排水姿勢に移行すると、トラップホースの終端の移動中に、当該終端から汚物等がはみ出すことがある。
【０００６】
汚物等がはみ出した状態でトラップホースの終端がさらに移動すると、この終端はケース体の内面に引っ掛かり、これにより、動作不良を引き起こすことがある。
【０００７】
しかしながら、従来の便器装置では、ケース体が単なる箱状のケースに過ぎなかったため、一旦、トラップホースの終端とケース体の内面との間に汚物等が挟まると、修理を行うためには、ケース体を分解しなくてはならなかった。
【０００８】
本発明は、上記事情に鑑みてなされたものであり、その目的とするところは、トラップケースの内面と駆動するトラップ筒との間に汚物等が挟まった場合に、トラップケースを分解しなくても、汚物等が挟まった状態を解消できる便器装置およびトラップ装置を提供することにある。
【課題を解決するための手段】
【０００９】
本発明の便器装置は、ボウルを有する便器本体と、この便器本体の内部に設けられ前記ボウルの排出口と建物側の排水口との間に設けられたトラップ装置とを具備し、前記トラップ装置は、上流側開口が前記ボウルの前記排出口に接続され、下流側開口が上下方向に移動することで封水姿勢と排水姿勢とのいずれかに切り替えられるトラップ筒と、その内部に前記トラップ筒の下流側開口を収容するトラップケースとを備え、前記トラップケースには、当該トラップケースの内面と前記トラップ筒の下流側開口との間の距離を変更できる可動部が設けられていることを特徴とする。
【００１０】
また本発明のトラップ装置は、ボウルを有する便器本体の内部に設けられて前記ボウルの排出口と建物側の排水口との間に設けられるトラップ装置であって、上流側開口が前記ボウルの前記排出口に接続され、下流側開口が上下方向に移動することで封水姿勢と排水姿勢とに切り替えられるトラップ筒と、その内部に前記トラップ筒の下流側開口を収容するトラップケースとを備え、前記トラップケースには、当該トラップケースの内面と前記トラップ筒の下流側開口との間の距離を変更できる可動部が設けられていることを特徴とする。
【発明の効果】
【００１１】
本発明の便器装置によれば、トラップケースの内面とトラップ筒との間に汚物等が挟まった場合に、トラップケースを分解しなくても、汚物等が挟まった状態を解消することができる。
【００１２】
また、本発明のトラップ装置によれば、トラップケースの内面とトラップ筒との間に汚物等が挟まった場合に、トラップケースを分解しなくても、汚物等が挟まった状態を解消することができる。
【図面の簡単な説明】
【００１３】
【図１】実施形態１の便器装置の斜視図であり、前パーツと後パーツとを想像線で示している。
【図２】実施形態１の便器装置の斜視図である。
【図３】実施形態１の便器装置のボウルとトラップ装置との断面図である。
【図４】実施形態１のトラップ装置の斜視図である。
【図５】実施形態１のトラップ装置の断面図である。
【図６】実施形態１の変形例のトラップ装置の断面図である。
【図７】実施形態２のトラップ装置の断面図である。
【図８】実施形態２の変形例のトラップ装置の断面図である。
【発明を実施するための形態】
【００１４】
以下、本発明の実施形態について添付図面に基づいて説明する。
【００１５】
本実施形態の便器装置は、前部にボウル１２が設けられた便器本体１と、便器本体１内に収容配置されたトラップ装置３とを備えている。トラップ装置３は、いわゆるターントラップ（登録商標）型の排水トラップである。トラップ装置３は、ボウル１２の排出口１５と建物に設置された排水管７とに接続されている。
【００１６】
以下、便器装置についての方向の定義は、ユーザーが便座２０に着座した姿勢に基づいて決定される。すなわち、便器装置の機器収容部１９とボウル１２とは前後方向に並んでおり、ボウル１２を前側とし、機器収容部１９を後側として定義する。
【００１７】
排水管７は、下水管や汚物処理槽などに接続されている。排水管７は、図３に示すように、トイレルーム内に向かって開口する排水口７１を有する。この排水口７１は、便器装置のボウル１２に溜められた水や汚物やトイレットペーパのカス等（以下、汚物等という）を、下水管や汚物処理槽などに向かって排出するための開口である。排水管７は、例えば、トイレルームの床や壁を貫通するように設置される。なお、排水管７は、トイレルームの床や壁の内側面に沿って配管されてもよい。
【００１８】
便器本体１は、便器装置の外郭を構成する。便器本体１は、図２に示すように、フレーム１１と、ボウル１２と、外郭体１６と、便座２０と、弁蓋２１と、機器収容部１９とを備えている。
【００１９】
フレーム１１は、金属枠によって構成されており、便器装置の骨格を形成する。フレーム１１は、ボウル１２，外郭体１６，機器収容部１９を支持する。便座２０および弁蓋２１は、機器収容部１９に回転自在に支持されている。特に、便座２０は、ボウル１２上に載置された状態では、リム部１３を介してフレーム１１および外郭体１６によって支持されており、ユーザーが着座することができるように構成されている。
【００２０】
ボウル１２は、供給された水や汚物等を受ける。ボウル１２は、図３に示すように、上方に開口した椀形状をしており（以下、この開口を上開口という）、下端部に排出管部１４が設けられている。排出管部１４は、前後方向に延びており、後方に向かって開口している（以下、この開口を排出口１５という）。また、ボウル１２は、上開口の周縁にリム部１３を有している。リム部１３は、略水平な上面を有しており、この上面には便座２０が載置される。このような構成のボウル１２は、フレーム１１および外郭体１６に支持された状態で固定されている。
【００２１】
外郭体１６は、図２に示すように、前パーツ１７と後パーツ１８とを備えており、ボウル１２の周囲を囲む。前パーツ１７は、いわゆるスカートであり、フレーム１１に着脱自在に固定されている。前パーツ１７は、ボウル１２を支持する。また、後パーツ１８は、フレーム１１に着脱自在に固定されている。後パーツ１８を取り外すと、トラップ装置３が露出するように構成されており、これにより、ユーザーはトラップ装置３に触れることができる。
【００２２】
なお、前パーツ１７および後パーツ１８は、例えば、ビス等の固着具を介して取り付けられてもよいが、前パーツ１７または後パーツ１８に爪を設け、フレーム１１に引っ掛け固定したものであってもよい。
【００２３】
機器収容部１９は、温水洗浄装置等の電気機器を内部に収容する。機器収容部１９は、ボウル１２の後方に配置されている。機器収容部１９は、フレーム１１に固定された電気機器を上方および側方（後方を含む）から覆う。
【００２４】
これら機器収容部１９、ボウル１２，外郭体１６，便座２０，及び弁蓋２１は、合成樹脂によって構成され、フレーム１１は金属によって構成されている。なお、便器本体１は、陶器によって構成されてもよい。
【００２５】
このような構成の便器本体１の内部には、図３に示すように、トラップ装置３が設けられている。
【００２６】
トラップ装置３は、ボウル１２内の下部に封水を形成し、建物側の排水口７１から臭気が逆流するのを防ぐ。トラップ装置３は、ボウル１２の排出口１５と、建物側の排水口７１との間に配置される。このトラップ装置３は、図４に示すように、トラップ筒３１と、駆動部４と、トラップケース５とを備えている。
【００２７】
トラップ筒３１は、図５に示すように、ボウル１２の排出管部１４に取り付けられ、これにより、排出管部１４の排出口１５に接続される。トラップ筒３１は、軸方向に延びた筒状をしており、軸方向の両側が開口している。取り付けられた状態のトラップ筒３１は、上流側開口３２がボウル１２の排出口１５に接続され、下流側開口３３は開放している。
【００２８】
トラップ筒３１は、ゴムなどの弾性体によって構成されており、可撓性を有している。トラップ筒３１の下流側端部は、アームを介して駆動部４に保持されている。駆動部４は、トラップ筒３１の下流側端部を、半円弧状の軌跡を描くように繰り返し上下方向に移動させる。これにより、トラップ筒３１は、下流側開口３３が上方を向く姿勢と、下方を向く姿勢とのいずれかに切り替えられる。
【００２９】
トラップ筒３１が上方に向いた姿勢でボウル１２に給水されると、ボウル１２内部の下部に封水が形成される。従って、本実施形態においては、トラップ筒３１の下流側開口３３が上方に向く姿勢を封水姿勢という。また、封水が形成された状態で、トラップ筒３１の下流側端部を下方に移動させると、ボウル１２に溜められた汚物等が、建物側の排水口７１に排出される。従って、本実施形態においては、トラップ筒３１の下流側開口３３が下方に向く姿勢を排水姿勢という。
【００３０】
なお、本実施形態のトラップ筒３１は、前後方向に回転して封水姿勢と排水姿勢とに切り替えられるが、例えば、左右方向に回転して封水姿勢と排水姿勢とに切り替えられてもよい。また、排水姿勢は、トラップ筒３１の下流側開口３３が下方に向いていなくてもよく、例えば、後方向や横方向の水平方向に向いていてもよい。
【００３１】
駆動部４は、図４に示すように、トラップケース５の外面に固定されている。駆動部４は、例えばモータによって構成されている。駆動部４は、モータの回転軸にアームが固定されており、トラップ筒３１の下流側端部を上下方向に駆動させる。
【００３２】
トラップケース５は、トラップ装置３の外郭を形成するケースである。トラップケース５は、図５に示すように、内部にトラップ筒３１の下流側端部を収容する。トラップケース５の内面（上面と後面）は、トラップ筒３１の下流側端部の移動軌跡に沿って形成されている。トラップケース５は、主体を構成するケース本体５１と、このケース本体５１に支持された可動部５６とを備えている。
【００３３】
ケース本体５１は、上壁５２、後壁５５、前壁５３、一対の側壁５４（図４）を備えている。トラップケース５の前壁５３には、トラップ筒３１の前端部が保持されている。
【００３４】
可動部５６は、トラップケース５の内面とトラップ筒３１の下流側開口３３との間の距離が大きくなるように移動可能に構成される。つまり、可動部５６は、トラップケース５の内面とトラップ筒３１の下流側開口３３との間の距離を変更できる。これにより、万が一、トラップケース５の内面とトラップ筒３１の下流側端部との間に汚物等が挟まっても、ユーザーは、トラップケース５の外側から操作して、汚物等が挟まった状態を解消できる。可動部５６は、トラップケース５の上壁５２に設けられた上可動壁５７と、後壁５５に設けられた後可動壁６０とを備えている。
【００３５】
上可動壁５７は、ケース本体５１の上壁５２に対して、内外方向に移動可能となっている。上可動壁５７は、スライド体５８によって構成されている。ケース本体５１の上壁５２には、上壁５２を貫通する上取付開口５９が設けられており、この上取付開口５９にスライド体５８が上下方向（つまり、内外方向）にスライド自在に嵌め込まれている。これにより、スライド体５８は、トラップケース５の上壁５２の内面の一部を構成する。なお、スライド体５８と上壁５２とは水密状態に保持される。
【００３６】
後可動壁６０は、ケース本体５１の後壁５５に対して、内外方向に移動可能となっている。後可動壁６０は、スライド体６１によって構成されている。ケース本体５１の後壁５５には、後壁５５を貫通する後取付開口６２が設けられており、この後取付開口６２にスライド体６１が前後方向（つまり、内外方向）にスライド自在に嵌め込まれている。これにより、スライド体６１は、トラップケース５の後壁５５の内面の一部を構成する。なお、スライド体６１と後壁５５とは水密状態に保持される。
【００３７】
このように、本実施形態の便器装置は、トラップ筒３１の移動軌跡に対向する内面である上壁５２と後壁５５とに可動部５６が設けられている。すなわち、便器装置は、ケース本体５１とトラップ筒３１との間において、汚物等が挟まりやすい箇所に可動部５６が設けられているため、ユーザーは、トラップケース５の外側から操作して、汚物等が挟まった状態を解消しやすい。
【００３８】
しかも、可動部５６は、内外方向に移動自在であるため、仮に、汚物等が可動部５６の内面に付着しても、ユーザーは、内外方向に繰り返しすばやく移動させることができて、汚物等を振るい落としやすい。
【００３９】
特に、本実施形態の便器装置は、後パーツ１８を外すだけでユーザーはトラップ装置３に触れることができるように構成されている。このため、ユーザーは、仮に、トラップケース５とトラップ筒３１との間に汚物等が挟まっても、便器装置を全て解体する必要もなく、自ら、汚物等が挟まった状態を解消することができる。
【００４０】
本実施形態の可動部５６は、ケース本体５１に対し、スライド体５８，６１が内外方向に平行移動するものであったが、例えば、次のような構造であってもよい（以下、この態様を変形例という）。なお、変形例において、本実施形態１の構成と対応する構成には、実施形態１の符号の数字の末尾にアルファベット「ａ」を加えた符号を付し、本実施形態１の構成と変形例の構成とをまとめて示す場合には、数字のみの符号で示す。
【００４１】
変形例の可動部５６は、図６に示すように、トラップケース５の上壁５２に設けられた上可動壁５７ａと、後壁５５に設けられた後可動壁６０ａとを備えている。上可動壁５７ａは、後側の端縁がケース本体５１に連結されており、その他の端縁がケース本体５１から切り離されている。また、後可動壁６０ａは、上側の端縁がケース本体５１に連結されており、その他の端縁がケース本体５１から切り離されている。
【００４２】
このように、上可動壁５７ａはケース本体５１の上壁５２に対して回転し、後可動壁６０ａは、ケース本体５１の後壁５５に対して回転する。すなわち、可動部５６は、ケース本体５１に対して内外方向に移動自在であるため、ユーザーは、トラップケース５の外側から操作して、汚物等が挟まった状態を解消しやすい。
【００４３】
以上説明したように、本実施形態の便器装置は、次の第１の特徴を備える。第１の特徴では、ボウル１２を有する便器本体１と、この便器本体１の内部に設けられたトラップ装置３とを備える。トラップ装置３は、ボウル１２の排出口１５と建物側の排水口７１との間に設けられる。また、トラップ装置３は、トラップ筒３１と、内部にトラップ筒３１の下流側開口３３を収容するトラップケース５とを備える。トラップ筒３１は、下流側開口３３が移動することで封水姿勢と排水姿勢とのいずれかに切り替えられる。そして、トラップケース５には、当該トラップケース５の内面とトラップ筒３１の下流側開口３３との間の距離を変更できる可動部５６が設けられる。
【００４４】
この第１の特徴を有する便器装置によれば、トラップケース５の内面とトラップ筒３１との間に汚物等が挟まった場合に、ユーザーは、トラップケース５の外側から可動部５６を操作して、汚物等が挟まった状態を解消することができる。特に、便器装置内においてトラップ装置３を触れやすい位置に配置すれば、ユーザーは、修理業者に依頼せずとも、汚物等が挟まった状態を解消することができる。
【００４５】
また、本実施形態の便器装置は、以下に示す第２，第３の特徴を有することが好ましい。なお、この第２，第３の特徴は、本発明に必ずしも必要な構成ではなく、任意の構成である。
【００４６】
第２の特徴では、第１の特徴において、トラップ筒３１は、前後方向に回転することで、封水姿勢と排水姿勢とに切り替えられる。可動部５６は、トラップケース５の上壁５２に設けられた上可動壁５７と、トラップケース５の後壁５５に設けられた後可動壁６０とを備える。
【００４７】
この第２の特徴を有する便器装置によれば、トラップ筒３１との間で汚物等が挟まりやすい箇所であるトラップケース５の上壁５２および後壁５５に可動部５６が設けられているため、汚物等が挟まった状態をより簡単に解消できる。
【００４８】
第３の特徴では、第１または第２の特徴において、トラップケース５は、可動部５６を支持するケース本体５１を有する。可動部５６は、ケース本体５１に対して内外方向に移動自在に形成される。
【００４９】
この第３の特徴を有する便器装置によれば、可動部５６を内外方向に自在に移動させることができ、仮に、トラップケース５の内面に汚物等が付着してもユーザーは振るい落とすことも可能である。
【００５０】
また、本実施形態のトラップ装置３は、次の第６の特徴を備える。第６の特徴では、トラップ筒３１と、内部にトラップ筒３１の下流側開口３３を収容するトラップケース５とを備える。トラップ筒３１の下流側開口３３は、上方に向く封水姿勢と下方に向く排水姿勢とのいずれかに切り替えられる。そして、トラップケース５には、当該トラップケース５の内面とトラップ筒３１の下流側開口３３との間の距離を変更できる可動部５６が設けられる。
【００５１】
この第６の特徴を有するトラップ装置３によれば、トラップケース５の内面とトラップ筒３１との間に汚物等が挟まった場合に、ユーザーは、トラップケース５の外側から可動部５６を操作して、汚物等が挟まった状態を解消することができる。
【００５２】
次に、実施形態２について図７に基づいて説明する。なお、実施形態２は実施形態１と大部分において同じであるため、同じ部分においては同符号を付して説明を省略し、主に異なる部分について説明する。なお、実施形態２において、実施形態１の構成と対応する構成には、実施形態１の符号の数字の末尾にアルファベット「ｂ」を加えた符号を付し、本実施形態１の構成と実施形態２の構成とをまとめて示す場合には、数字のみの符号で示す。
【００５３】
実施形態２の便器装置は、便器本体１については実施形態１と同じ構造であるが、トラップ装置３の構造が実施形態１のものとは異なっている。
【００５４】
トラップ装置３ｂは、ケース本体５１ｂと、可動部５６ｂとを備えている。可動部５６ｂは、トラップケース５ｂの内面とトラップ筒３１の下流側開口３３との間の距離を変更できるように構成されている。本実施形態の可動部５６ｂは、弾性変形が可能な変形可能部６３によって構成されている。
【００５５】
なお、この可動部５６ｂ（変形可能部６３）は、実施形態１と同様、上可動壁５７ｂと後可動壁６０ｂとを備えているが、以下においては、上可動壁５７ｂについて主に説明する。
【００５６】
上可動壁５７ｂは、壁部６４と、弾性部６５とにより構成されている。弾性部６５は、壁部６４の周囲の全周に亙って設けられている。壁部６４と弾性部６５とは、例えば、接着等により固着一体化されている。弾性部６５とケース本体５１とも、例えば、接着等により固着一体化されている。
【００５７】
壁部６４は、例えば、硬質樹脂によって構成されており、ケース本体５１ｂと同じ材質により構成されている。弾性部６５は、例えば、蛇腹構造やゴムによって構成されている。弾性部６５は、弾性変形が可能であり、復元力を有している。すなわち、弾性部６５は、壁部６４をケース本体５１ｂの外側に向かって移動させると、壁部６４を内側に向かって付勢する。また、弾性部６５は、壁部６４をケース本体５１ｂの内側に向かって移動させると、壁部６４を外側に向かって付勢する。
【００５８】
このように本実施形態のトラップケース５ｂは、その一部が弾性変形可能となった変形可能部６３によって構成されているため、ユーザーは、トラップケース５ｂの外側から操作して、トラップ筒３１とトラップケース５ｂとの間に汚物等が挟まった状態を解消できる。しかも、変形可能部６３は、トラップケース５ｂの一部が弾性変形可能となったものであり、ケース本体５１ｂと切り離されていない。このため、本実施形態の便器装置によれば、変形可能部６３とケース本体５１ｂとの間には隙間が存在せず、漏水を防止できる。
【００５９】
また、本実施形態の可動部５６は、壁部６４と、弾性部６５とにより構成されているため、壁部６４を移動させても、弾性部６５の復元力によって、元の形状に復元する。
【００６０】
本実施形態の変形可能部６３は、壁部６４と弾性部６５とを有していたが、例えば、次のような構造であってもよい（以下、この態様を変形例という）。なお、変形例において、実施形態２の構成と対応する構成には、実施形態２の符号の数字の末尾にアルファベット「ｃ」を加えた符号を付し、各実施形態の構成とこの変形例の構成とをまとめて示す場合には、数字のみの符号で示す。
【００６１】
変形例の変形可能部６３ｃ（可動部５６ｃ）は、図８に示すように、トラップケース５ｃの一部が弾性変形可能となった薄肉部６６によって構成される。この薄肉部６６は、例えば、軟質樹脂によって構成されており、ケース本体５１ｃに二色成形によって一体成型されている。薄肉部６６は、トラップケース５の外側に向かって引っ張ることで、弾性変形可能である。
【００６２】
薄肉部６６には、摘み部が設けられてもよい。これにより、ユーザーは摘み部を摘まんで、トラップケース５ｃの内面のうち薄肉部６６に対応する箇所と、トラップ筒３１との間の距離を変更しやすくできる。
【００６３】
以上、実施形態２およびその変形例の便器装置は、以下に示す第４の特徴を有する。なお、この第４の特徴は、本発明に必ずしも必要な構成ではなく、任意の構成である。
【００６４】
第４の特徴では、第１または第２の特徴において、可動部５６は、トラップケース５の一部が弾性変形可能となった変形可能部６３によって構成される。
【００６５】
この第４の特徴を有する便器装置によれば、可動部５６が設けられていても、止水性の低下を抑制することができる。
【００６６】
また、実施形態２の便器装置は、以下に示す第５の特徴を有する。なお、この第５の特徴は、本発明に必ずしも必要な構成ではなく、任意の構成である。
【００６７】
第５の特徴では、第４の特徴において、変形可能部６３が、トラップケース５の内面の一部を構成する壁部６４と、この壁部６４の周囲に設けられて弾性変形可能な弾性部６５とにより構成される。
【００６８】
この第５の特徴を有する便器装置によれば、変形する箇所をできる限り小さくすることができるため、強度の低下を抑制することができる。しかも、変形可能部６３は復元力を有しているため、一旦変形させても、元の形状に復元することができる。
【００６９】
なお、実施形態１，２の便器装置は、トラップ筒３１が上下方向に回転するものであったが、左右方向に回転するものであってもよい。この場合、可動部５６は、上壁５２だけの一箇所のみに設けられてもよいし、側壁５４のいずれか一箇所のみに設けられてもよいし、上壁５２および側壁５４の両者に設けられてもよい。
【００７０】
また、実施形態１，２の便器装置は、トラップケース５の内面が、トラップ筒３１の下流側端部の移動軌跡に近接対向するように形成されてもよい。これによって、トラップ筒３１の移動中に汚物等がはみ出すのを、極力抑えることができる。
【符号の説明】
【００７１】
１      便器本体
１２    ボウル
１４    排出管部
１５    排出口
１６    外郭体
１７    前パーツ
１８    後パーツ
１９    機器収容部
３      トラップ装置
３１    トラップ筒
３２    上流側開口
３３    下流側開口
４      駆動部
５      トラップケース
５１    ケース本体
５２    上壁
５３    前壁
５４    側壁
５５    後壁
５６    可動部
５７    上可動壁
５８    スライド体
５９    上取付開口
６０    後可動壁
６１    スライド体
６２    後取付開口
６３    変形可能部
６４    壁部
６５    弾性部
６６    薄肉部
７１    排水口
【図１】
2016098546.tif 000003
【図２】
2016098546.tif 000004
【図３】
2016098546.tif 000005
【図４】
2016098546.tif 000006
【図５】
2016098546.tif 000007
【図６】
2016098546.tif 000008
【図７】
2016098546.tif 000009
【図８】
2016098546.tif 000010